(57)【要約】【課題】互いに直交して配置される建材を固定する場合に、施工効率を向上できる建材連結金物を提供すること。【解決手段】建材連結金物１は、互いに直交して配置される建材を固定し、一方の建材に当接する第１当接面１１を有する第１部材１０と、その側縁が第１部材１０に取り付けられ、第１当接面１１と直交する方向に延び、一方の建材と直交する方向に向けて配置される他方の建材に当接する第２当接面２１を有する第２部材２０と、を備え、第１部材１０には、固定手段を挿通させ、一方の前記建材に固定するための孔１２が形成されており、第２部材２０には、固定手段を挿通させ、他方の建材に固定するための孔２２が形成されている。【選択図】図１
0003207573.tif 000002
【実用新案登録請求の範囲】
【請求項１】
互いに直交して配置される建材を固定する建材連結金物であって、
一方の前記建材に当接する第１当接面を有する第１部材と、
その側縁が前記第１部材に取り付けられ、前記第１当接面と直交する方向に延び、一方の前記建材と直交する方向に向けて配置される他方の前記建材に当接する第２当接面を有する第２部材と、を備え、
前記第１部材には、固定手段を挿通させ、一方の前記建材に固定するための孔が形成されており、
前記第２部材には、前記固定手段を挿通させ、他方の前記建材に固定するための孔が形成されている建材連結金物。
【請求項２】
前記第１部材及び前記第２部材の端部には、前記第１部材及び前記第２部材と直交し、互いに直交して配置される前記建材と直交して配置される別の前記建材に当接する第３当接面を有する第３部材を、更に備え、
前記第３部材には、前記固定手段を挿通させ、別の前記建材に固定するための孔が形成されている請求項１に記載の建材連結金物。
【考案の詳細な説明】
【技術分野】
【０００１】
本考案は、建材連結金物に関し、特に、互いに直交して配置される建材を固定する建材連結金物に関する。
【背景技術】
【０００２】
従来、建築物では、合板等の板材により形成された壁や床等の互いに直交する部材を、金物により、互いに連結する。
【０００３】
このような金物として、例えば、特許文献１には、主幹部材の内側に接する固定板と、固定板の中心に直交して接合板を備え、固定板と接合板の下端に接合板を受ける受板を設けて形成して金具Ａを一体に構成し、結合部材の端測に当接する支持板と、支持板に直交して両側面板を備え、支持板の中心に直交して中心から振り分けに二枚の接合板を設けて形成して金具Ｂを一体に構成した木造建築の構造部材の接合装置が提案されている。
このような木造建築の構造部材の接合装置によれば、主幹部材の金具Ａに結合部材の金具Ｂを嵌設し、金具の接合板と、金具Ｂの二枚の接合板を重ねてボルトで締結することで、主幹部材と結合部材を接合することができる。
【先行技術文献】
【特許文献】
【０００４】
【特許文献１】特開２００７−１６２２９１号公報
【考案の概要】
【考案が解決しようとする課題】
【０００５】
しかしながら、特許文献１の接合装置のように、壁や床等の互いに直交する部材を連結する金物を、金具Ａと金具Ｂとで構成すると、壁と床とに、それぞれ金具Ａと金具Ｂとの位置を合わせて取り付け、更に、金具Ａと金具Ｂとを連結する必要があり、工数が多くなり、施工効率が低下していた。
【０００６】
本考案は、互いに直交して配置される建材を固定する場合に、施工効率を向上できる建材連結金物を提供することを目的とする。
【課題を解決するための手段】
【０００７】
（１）  互いに直交して配置される建材を固定する建材連結金物であって、
一方の前記建材に当接する第１当接面を有する第１部材と、
その側縁が前記第１部材に取り付けられ、前記第１当接面と直交する方向に延び、一方の前記建材と直交する方向に向けて配置される他方の前記建材に当接する第２当接面を有する第２部材と、を備え、
前記第１部材には、固定手段を挿通させ、一方の前記建材に固定するための孔が形成されており、
前記第２部材には、固定手段を挿通させ、他方の前記建材に固定するための孔が形成されている建材連結金物。
【０００８】
（１）の構成によれば、互いに直交して配置される建材を固定する建材連結金物は、第１部材と、第２部材と、を備える。
第１部材は、一方の建材に当接する第１当接面を有する。
第２部材は、その側縁が第１部材に取り付けられ、第１当接面と直交する方向に延び、一方の建材と直交する方向に向けて配置される他方の建材に当接する第２当接面を有する。
第１部材には、固定手段を挿通させ、一方の建材に固定するための孔が形成されている。
第２部材には、固定手段を挿通させ、他方の建材に固定するための孔が形成されている。
【０００９】
（１）の建材連結金物によれば、以下の手順で互いに直交して配置される建材を固定する。
施工者は、まず、第１部材を、例えば、一方の建材の側縁に第１当接面を当接させて配置し、固定部材を孔に挿通させ、この固定部材により一方の建材に固定する。
次に、施工者は、他方の建材を、一方の建材に対して直交して配置し、第２当接面に当接させ、第２部材の孔に固定部材を挿通させ、第２部材を、この固定部材により他方の建材に固定する。
これにより、互いに直交して配置される建材は、建材連結金物により固定される。
【００１０】
このように、互いに直交して配置される建材を、１つの金物に、それぞれ固定することにより、互いに直交した状態で固定できる。
したがって、互いに直交して配置される建材を固定する場合に、施工効率を向上できる建材連結金物を提供できる。
【００１１】
（２）  前記第１部材及び前記第２部材の端部には、前記第１部材及び前記第２部材と直交し、互いに直交して配置される前記建材と直交して配置される別の前記建材に当接する第３当接面を有する第３部材を、更に備え、
前記第３部材には、固定手段を挿通させ、別の前記建材に固定するための孔が形成されている（１）に記載の建材連結金物。
【００１２】
（２）の構成によれば、建材連結金物は、第３部材を、更に有する。
第３部材は、第１部材及び第２部材の端部に、第１部材及び第２部材と直交し、互いに直交して配置される建材と直交して配置される別の建材に当接する第３当接面を有する。
この第３部材には、固定手段を挿通させ、別の建材に固定するための孔が形成されている。
【００１３】
（２）の建材連結金物によれば、以下の手順で、互いに直交して配置される建材を固定し、更に、これらの建材と直交する別の建材を固定する。
まず、（１）と同様の手順で、互いに直交して配置される建材を固定する。
次に、施工者は、互いに直交した状態で固定された建材に対して直交して配置される別の建材を、第３当接面に当接させ、第３部材の孔に固定部材を挿通させ、第３部材を、この固定部材により別の建材に固定する。
これにより、互いに直交して配置される建材と直交する別の建材も固定できる。
【００１４】
このように、互いに直交して配置される建材と直交する別の建材を固定する場合も、１つの金物に、それぞれ固定することにより、互いに直交した状態で固定できる。
したがって、互いに直交して配置される建材及びこれらの建材と直交する別の建材を固定する場合に、施工効率を向上できる建材連結金物を提供できる。
【考案の効果】
【００１５】
本考案によれば、互いに直交して配置される建材を固定する場合に、施工効率を向上できる建材連結金物を提供できる。
【図面の簡単な説明】
【００１６】
【図１】本考案の一実施形態に係る建材連結金物１の斜視図である。
【図２】前記実施形態に係る建材連結金物１により、互いに直交して配置される建材が固定された状態を説明する図である。
【図３】前記実施形態に係る建材連結金物１により、互いに直交して配置される建材が固定された状態を説明する図である。
【図４】前記実施形態に係る建材連結金物１により、互いに直交して配置される建材が固定された状態を説明する図である。
【図５】前記実施形態に係る建材連結金物１により、互いに直交して配置される建材と、これらの建材と直交する別の建材と、が固定された状態を説明する図である。
【図６】前記実施形態の変形例１に係る建材連結金物１Ａの斜視図である。
【図７】前記実施形態の変形例２に係る建材連結金物１Ｂの斜視図である。
【考案を実施するための形態】
【００１７】
本考案の実施形態に係る建材連結金物１の構成を図面に基づいて説明する。以下の説明において、同一の構成には同一の符号を付し、その説明を省略又は簡略する。
図１は、本考案の一実施形態に係る建材連結金物１の斜視図である。
建材連結金物１は、互いに直交して配置される建材（例えば、ＣＬＴ（Cross  Laminated  Timbe）で構成された床材、壁材、天井材等）を固定し、第１部材１０と、第２部材２０と、第３部材３０と、を備える。
【００１８】
第１部材１０は、一方の建材に当接する第１当接面１１を有する。
第１部材１０には、固定手段（例えば、ボルトや釘等）を挿通させ、一方の建材に固定するための孔１２が、建材連結金物１に延びる方向に沿って、所定間隔（例えば、３００ｍｍ〜４５０ｍｍ間隔等）で複数形成されている。
【００１９】
第２部材２０は、第１部材１０の側縁から、第１当接面１１と直交する方向に延び、一方の建材と直交する方向に向けて配置される他方の建材に当接する第２当接面２１を有する。
第２部材２０には、固定手段を挿通させ、他方の建材に固定するための孔２２が、建材連結金物１に延びる方向に沿って、所定間隔（例えば、３００ｍｍ〜４５０ｍｍ間隔等）で複数形成されている。
【００２０】
建材連結金物１は、例えば、スチール、ステンレス、アルミ等の金属により形成され、断面形状が略Ｌ字形状に形成された長尺体であり、第１当接面１１及び第２当接面２１の巾が、例えば、５０ｍｍ〜１５０ｍｍの寸法で形成されている。
【００２１】
また、第１部材１０及び第２部材２０は、第１当接面１１及び第２当接面２１とは反対側の面において、連結金物１に延びる方向に沿って、所定間隔（例えば、３００ｍｍ〜４５０ｍｍ間隔等）で略直角三角形形状の補強金物４０が複数取り付けられている。補強金物４０は、互いに直交する２辺の側縁が、第１当接面１１及び第２当接面２１とは反対側の面に当接して取り付けられている。これにより、互いに直交して配置される建材を固定する建材連結金物１において、地震等による外力がこれらの建材にかかった場合に、第１部材１０及び第２部材２０が互いに開いてしまうのを防止できる。
【００２２】
第３部材３０は、第１部材１０及び第２部材２０の長辺方向の両端部に、第１部材１０及び第２部材２０と直交し、互いに直交して配置される建材と直交して配置される別の建材に当接する第３当接面３１を有する。
この第３部材３０には、固定手段を挿通させ、別の建材に固定するための孔３２が形成されている。
第３部材３０は、略直角三角形形状に形成され、互いに直交する２辺の側縁が、第１当接面１１及び第２当接面２１とは反対側の面の側縁近傍に当接して取り付けられている。
【００２３】
次に、建材連結金物１により、互いに直交して配置される建材を固定する手順を説明する。
図２から図４は、前記実施形態に係る建材連結金物１により、互いに直交して配置される建材が固定された状態を説明する図である。図２から図４は、壁材１００及び床材２００の垂直断面を示している。
【００２４】
図２に示すように、互いに直交して配置される建材として、例えば、壁材１００の上端に上階の床材２００を固定する場合、施工者は、まず、第１部材１０を、例えば、一方の建材である壁材１００の側縁に第１当接面１１を当接させて配置し、固定部材の一例であるボルトを孔１２に挿通させ、壁材１００の貫通孔に挿通させ、壁材１００の第１当接面１１を当接させた面と反対側の面から、このボルトをナットで締め付けることで、建材連結金物１を壁材１００に固定する。
【００２５】
次に、施工者は、他方の建材である床材２００を、一方の建材である壁材１００に対して直交して配置し、下面を第２当接面２１に当接させ、第２部材２０の孔２２にボルトを挿通させ、床材２００の貫通孔に挿通させ、床材２００の第２当接面２１を当接させた面（下面）と反対側の面（上面）から、このボルトの先端を突出させる。そして、施工者は、別の建材連結金物１の第２部材２０を、床材２００の上面に当接させて配置し、この第２部材２０の孔２２に、床材２００から突出したボルトの先端を挿通させ、このボルトをナットで締め付けることで、建材連結金物１により、壁材１００に床材２００を固定する。
【００２６】
このように、建材を挟んで、２つの建材連結金物１を互いに対面して配置し、固定手段を、一方の建材連結金物１の孔を挿通させ、建材を挿通させ、他方の建材連結金物１の孔を挿通させ、２つの建材連結金物１で建材を挟み込んだ状態で固定することで、互いに直交して配置される建材の連結部における強度を向上できる。
【００２７】
次に、施工者は、床材２００の上面に配置した建材連結金物１の第１部材１０の第１当接面１１に、次階の壁材１００の下端近傍を当接させて配置し、ボルトを孔１２に挿通させ、壁材１００の貫通孔に挿通させ、壁材１００の第１当接面１１を当接させた面と反対側の面から、このボルトをナットで締め付けることで、建材連結金物１により、床材２００に次階の壁材１００を固定する。
【００２８】
図３に示すように、互いに直交して配置される建材として、例えば、壁材１００の上端に天井材３００を固定する場合、施工者は、まず、第１部材１０を、例えば、一方の建材である壁材１００の側縁に第１当接面１１を当接させて配置し、固定部材の一例であるボルトを孔１２に挿通させ、壁材１００の貫通孔に挿通させ、壁材１００の第１当接面１１を当接させた面と反対側の面から、このボルトをナットで締め付けることで、建材連結金物１を壁材１００に固定する。
【００２９】
次に、施工者は、他方の建材である天井材３００を、一方の建材である壁材１００に対して直交して配置し、下面を第２当接面２１に当接させ、第２部材２０の孔２２にボルトを挿通させ、天井材３００の貫通孔に挿通させ、天井材３００の第２当接面２１を当接させた面（下面）と反対側の面（上面）から、このボルトをナットで締め付けることで、建材連結金物１により、壁材１００に天井材３００を固定する。
【００３０】
図４に示す例は、図２に示す例の応用例である。図４に示す例では、床材２００の下面側に、建材連結金物１でなく、鉄骨２５０が配置されている。
この場合、施工者は、鉄骨２５０に壁材１００を固定した後に、鉄骨２５０の上おいて、他方の建材である床材２００を、一方の建材である壁材１００に対して直交して配置し、建材連結金物１の第２部材２０を、床材２００の上面に当接させて配置し、鉄骨２５０に形成された孔にボルトを挿通させ、床材２００の貫通孔に挿通させ、床材２００の上面から、このボルトの先端を突出させる。そして、施工者は、建材連結金物１の第２部材２０を、床材２００の上面に当接させて配置し、この第２部材２０の孔２２に、床材２００から突出したボルトの先端を挿通させ、このボルトをナットで締め付けることで、建材連結金物１により、鉄骨２５０に固定された壁材１００に床材２００を固定する。
【００３１】
図５は、前記実施形態に係る建材連結金物１により、互いに直交して配置される建材と、これらの建材と直交する別の建材と、が固定された状態を説明する図である。
図５は、壁材１００及び間仕切り材４００の水平断面を示している。
図５に示す例は、例えば、図２に示す状態の次の工程である。この場合、床材２００の上面に配置する建材連結金物１を、壁材１００に沿って、互いに直交して配置される建材（壁材１００及び床材２００）と直交する別の建材である間仕切り材４００の厚さと略同一寸法の間隔を空けて、複数配列する。
【００３２】
施工者は、間仕切り材４００を、２つの建材連結金物１の間に挿入し、側縁を壁材１００に当接させる。これにより、間仕切り材４００は、２つの建材連結金物１の第３部材３０の第３当接面３１に当接した状態となる。
この状態において、施工者は、間仕切り材４００の一方の面に当接する建材連結金物１の第３部材３０の孔３２にボルトを挿通させ、間仕切り材４００の貫通孔に挿通させ、他方の面に当接する建材連結金物１の第３部材３０の孔３２にボルトの先端を挿通させ、このボルトをナットで締め付けることで、建材連結金物１により、互いに直交して配置される建材（壁材１００及び床材２００）に、これらの建材と直交する別の建材（間仕切り材４００）を固定する。
【００３３】
図６は、前記実施形態の変形例１に係る建材連結金物１Ａの斜視図である。
変形例１に係る建材連結金物１Ａは、第１部材１０と第２部材２０とが互いに接合した側縁の反対側の側縁に連結する連結部材５０が設けられ、断面形状が三角形形状を形成している点が、本実施形態に係る建材連結金物１（図１参照）と異なる。
【００３４】
連結部材５０には、建材連結金物１Ａの長辺方向に沿って、ボルト等の固定部材を操作する道具を挿入可能とする道具孔５１が形成されている。
【００３５】
このような建材連結金物１Ａによれば、連結部材５０を設けることで、強度が向上する。
【００３６】
図７は、前記実施形態の変形例２に係る建材連結金物１Ｂの斜視図である。
変形例２に係る建材連結金物１Ｂは、建材連結金物１と同様の第１部材１０及び第２部材２０に加え、第１部材１０又は第２部材２０と同一形状に形成された第４部材６０及び第５部材７０を備える点が、本実施形態に係る建材連結金物１（図１参照）と異なる。
【００３７】
第４部材６０は、第２部材２０の側縁から、第２当接面２１と直交する方向（第１部材１０の第１当接面１１と平行な方向）に延び、第５部材７０の側縁に連なり、一方の建材に当接する第４当接面６１を有する。
第４部材６０には、固定手段を挿通させ、一方の建材に固定するための孔６２が、建材連結金物１Ｂに延びる方向に沿って、所定間隔（例えば、３００ｍｍ〜４５０ｍｍ間隔等）で複数形成されている。
【００３８】
第５部材７０は、第４部材６０の側縁から、第４当接面６１と直交する方向（第２部材２０の第２当接面２１と平行な方向）に延び、第１部材１０の側縁に連なり、一方の建材に当接する第５当接面７１を有する。
第５部材７０には、固定手段を挿通させ、一方の建材に固定するための孔７２が、建材連結金物１Ｂに延びる方向に沿って、所定間隔（例えば、３００ｍｍ〜４５０ｍｍ間隔等）で複数形成されている。
【００３９】
建材連結金物１Ｂは、上記のような第１部材１０、第２部材２０、第４部材６０及び第５部材７０により、断面形状が四角形形状に形成されている。
このため、建材連結金物１Ｂの第３部材３０は、四角形形状に形成されている。
【００４０】
このような建材連結金物１Ｂによれば、第４部材６０及び第５部材７０を設けることで、強度が向上するとともに、建材連結金物１Ｂを任意の向きで設置可能となるので、より施工効率が向上する。
【００４１】
本実施形態、変形例１又は変形例２に係る建材連結金物１，１Ａ，１Ｂによれば、以下の作用効果を奏する。
建材連結金物１，１Ａ，１Ｂによれば、施工者は、まず、第１部材１０を、例えば、一方の建材の側縁に第１当接面１１を当接させて配置し、固定部材を孔１２に挿通させ、この固定部材により一方の建材に固定する。
次に、施工者は、他方の建材を、一方の建材に対して直交して配置し、第２当接面２１に当接させ、第２部材２０の孔２２に固定部材を挿通させ、第２部材２０を、この固定部材により他方の建材に固定する。
これにより、互いに直交して配置される建材は、建材連結金物１，１Ａ，１Ｂにより固定される。
【００４２】
このように、互いに直交して配置される建材を、１つの金物に、それぞれ固定することにより、互いに直交した状態で固定できる。
したがって、互いに直交して配置される建材を固定する場合に、施工効率を向上できる建材連結金物を提供できる。
【００４３】
また、建材連結金物１，１Ａ，１Ｂによれば、上記の手順で、互いに直交して配置される建材を固定する。
次に、施工者は、互いに直交した状態で固定された建材に対して直交して配置される別の建材を、第３当接面３１に当接させ、第３部材３０の孔３２に固定部材を挿通させ、第３部材３０を、この固定部材により別の建材に固定する。
これにより、互いに直交して配置される建材と直交する別の建材も固定できる。
【００４４】
このように、互いに直交して配置される建材と直交する別の建材を固定する場合も、１つの金物に、それぞれ固定することにより、互いに直交した状態で固定できる。
したがって、互いに直交して配置される建材及びこれらの建材と直交する別の建材を固定する場合に、施工効率を向上できる建材連結金物を提供できる。
【００４５】
なお、本考案は前記実施形態に限定されるものではなく、本考案の目的を達成できる範囲での変形、改良等は本考案に含まれるものである。
【符号の説明】
【００４６】
１，１Ａ，１Ｂ  建材連結金物
１０  第１部材
１１  第１当接面
１２  孔
２０  第２部材
２１  第２当接面
２２  孔
３０  第３部材
３１  第３当接面
３２  孔
４０  補強金物
５０  連結部材
５１  道具孔
６０  第４部材
６１  第４当接面
７０  第５部材
７１  第５当接面
７２  孔
１００  壁材
２００  床材
２５０  鉄骨
３００  天井材
４００  間仕切り材
【図１】
0003207573.tif 000003
【図２】
0003207573.tif 000004
【図３】
0003207573.tif 000005
【図４】
0003207573.tif 000006
【図５】
0003207573.tif 000007
【図６】
0003207573.tif 000008
【図７】
0003207573.tif 000009